(57)【要約】      （修正有）【課題】ある電子機器において入力された手書入力データを、他の電子機器に送信し、適切なサイズで表示可能とする。【解決手段】電子機器１００は、携帯電話で取得した写真等、他の電子機器１から送信された第一画像データを液晶パネル２４０に表示する。画像が表示された状態で、液晶パネル２４０を介して手書入力データを受け付け、受け付けた手書入力データを電子機器１の画面サイズや解像度に基づいて第２画像データを生成し、生成した第２画像データを他の電子機器１に送信する。【選択図】図２７
2010108288.tif 000002
【特許請求の範囲】
【請求項１】
電子機器であって、
第１表示パネルと、
他の電子機器から送信された第１画像データを受信する受信手段と、
前記第１表示パネルを介して、前記受信した第１画像データに基づく第１画像を表示させる表示制御手段と、
前記第１画像が表示された状態で、前記第１表示パネルを介して手書入力データを受け付ける受付手段と、
前記受け付けた手書入力データに基づき第２画像データを生成する生成手段と、
前記生成した第２画像データを前記他の電子機器に送信する送信手段とを備える、電子機器。
【請求項２】
前記生成手段は、
前記受信した第１画像データの画像サイズに対する、前記表示された第１画像の画像サイズの比率を算出する比率算出手段を備え、
前記算出した比率に基づき前記手書入力データのデータ量を変更することにより、前記第２画像データを生成する、請求項１に記載の電子機器。
【請求項３】
前記第１画像に対する前記手書入力データの入力位置を検出する位置検出手段をさらに備え、
前記送信手段は、前記第２画像データに関連付けて前記入力位置を示した位置情報をさらに送信する、請求項２に記載の電子機器。
【請求項４】
前記第１画像は、前記第１画像データの全体を表示した画像である全体画像の一部または全部の画像であり、
前記表示制御手段は、前記全体画像における前記第１画像の範囲を決定する範囲決定手段をさらに備え、
前記送信手段は、前記第２画像データに関連付けて前記範囲を示した範囲情報をさらに送信する、請求項３に記載の電子機器。
【請求項５】
電子機器であって、
第１表示パネルと、
他の電子機器から送信された第１画像データを受信する受信手段と、
前記第１表示パネルを介して、前記受信した第１画像データに基づく第１画像を表示させる表示制御手段と、
前記第１画像が表示された状態で、前記第１表示パネルを介して手書入力データを受け付ける受付手段と、
前記受け付けた手書入力データに基づき第２画像データを生成する生成手段と、
前記第１画像データと前記第２画像データとを合成して、合成画像データを生成する合成手段と、
前記生成された合成画像データを前記他の電子機器に送信する送信手段とを備える、電子機器。
【請求項６】
前記受信手段は、前記他の電子機器から、前記第１画像データに関連付けられた第１関連情報をさらに受信し、
前記電子機器は、
前記電子機器に内蔵または外部接続された記憶装置に格納されたデータベースから、前記第１関連情報に関連付けられた第２関連情報を検索する検索手段と、
第２表示パネルとをさらに備え、
前記表示制御手段は、前記第２表示パネルを介して、前記第２関連情報を表示させる、請求項１から５に記載の電子機器。
【請求項７】
前記第１表示パネルは、
入射光に応じて電気信号を生成する複数の光センサ回路と、
電気信号に応じて光を発する複数の画素回路とを含み、
前記受付手段は、前記複数の光センサ回路からの前記電気信号に基づいて、前記手書入力データを受け付け、
前記表示制御手段は、前記複数の画素回路に前記第１画像および前記手書入力データに基づく手書画像とを表示させる、請求項１から６のいずれか１項に記載の電子機器。
【請求項８】
電子機器であって、
表示パネルと、
第１画像データを記憶する記憶装置と、
前記記憶装置から第１画像データを読出し、他の電子機器に当該読出した第１画像データを送信する送信手段と、
前記他の電子機器から送信された、手書入力データに基づく第２画像データを受信する受信手段と、
前記読出した第１画像データと前記受信した第２画像データとを合成して、当該合成した画像データに基づく画像を前記表示パネルを介して表示させる表示制御手段とを備える、電子機器。
【請求項９】
第１電子機器と第２電子機器とを含む通信システムであって、
前記第１電子機器と前記第２電子機器とは、それぞれ表示パネルを備え、
前記第１電子機器は、
前記第２電子機器から送信された第１画像データを受信する第１受信手段と、
前記第１電子機器の表示パネルを介して、前記受信した第１画像データに基づく第１画像を表示させる第１表示制御手段と、
前記第１画像が表示された状態で、前記第１電子機器の表示パネルを介して手書入力データを受け付ける受付手段と、
前記受け付けた手書入力データに基づき第２画像データを生成する生成手段と、
前記生成した第２画像データを前記第２電子機器に送信する第１送信手段とを備え、
前記第２電子機器は、
前記第１画像データを記憶する記憶装置と、
前記記憶装置から前記第１画像データを読出し、前記第１電子機器に当該読出した第１画像データを送信する第２送信手段と、
前記第１電子機器から送信された前記第２画像データを受信する第２受信手段と、
前記読出した第１画像データと前記受信した第２画像データとを合成して、当該合成した画像データに基づく画像を前記表示パネルを介して表示させる第２表示制御手段とを備える、通信システム。
【請求項１０】
電子機器におけるデータ通信方法であって、
他の電子機器から送信された第１画像データを受信するステップと、
表示パネルを介して、前記受信した第１画像データに基づく第１画像を表示させるステップと、
前記第１画像が表示された状態で、前記表示パネルを介して手書入力データを受け付けるステップと、
前記受け付けた手書入力データに基づき第２画像データを生成するステップと、
前記生成した第２画像データを前記他の電子機器に送信するステップとを含む、データ通信方法。
【請求項１１】
電子機器におけるデータ通信方法であって、
他の電子機器から送信された第１画像データを受信するステップと、
表示パネルを介して、前記受信した第１画像データに基づく第１画像を表示させるステップと、
前記第１画像が表示された状態で、前記表示パネルを介して手書入力データを受け付けるステップと、
前記受け付けた手書入力データに基づき第２画像データを生成するステップと、
前記第１画像データと前記第２画像データとを合成して、合成画像データを生成するステップと、
前記生成された合成画像データを前記他の電子機器に送信するステップとを含む、データ通信方法。
【請求項１２】
電子機器における表示制御方法であって、
記憶装置から第１画像データを読出し、他の電子機器に当該読出した第１画像データを送信するステップと、
前記他の電子機器から送信された、手書入力データに基づく第２画像データを受信する受信ステップと、
前記読出した第１画像データと前記受信した第２画像データとを合成して、合成画像データを生成するステップと、
前記生成された合成画像データに基づく合成画像を表示パネルを介して表示させるステップとを含む、表示制御方法。
【請求項１３】
請求項１０から１２のいずれか１項に記載の方法を実行するためのプログラム。
【発明の詳細な説明】
【技術分野】
【０００１】
本発明は、表示パネルを備えた電子機器、電子機器を含む通信システム、電子機器におけるデータ通信方法、電子機器における表示制御方法、当該方法を実行するためのプログラムに関する。
【背景技術】
【０００２】
従来、光センサを内蔵した液晶パネルが知られている。
特許文献１〜３には、２つの表示装置を備えた情報処理装置が開示されている。
【０００３】
特許文献４には、表示部と着脱可能なＰＣ（Personal Computer）カードとを備える情報処理装置が開示されている。表示部およびＰＣカードは、ＬＣＤ（Liquid Crystal Display）を備える。また、ＰＣカードのＬＣＤは、タッチパッドの背面に設けれている。
【０００４】
非特許文献１には、タッチパッドが液晶ディスプレイになった、ノート型のパーソナルコンピュータが開示されている。
【特許文献１】特開２００４−００５１０５号公報
【特許文献２】特開２００４−００５２１２号公報
【特許文献３】特開２００４−２３４５０４号公報
【特許文献４】特開２０００−３３９０９７号公報
【非特許文献１】東芝  ノートＰＣ  ｄｙｎａｂｏｏｋ（登録商標）  Ｇ８シリーズ  製品カタログ  インターネット＜URL：http://dynabook.com/pc/catalog/dynabook/030512g8/index_j.htm＞
【発明の開示】
【発明が解決しようとする課題】
【０００５】
しかしながら、各特許文献および非特許文献に記載の電子機器は、当該電子機器において入力された手書入力データを他の電子機器において適切なサイズで表示可能とすることはできないといった問題点がある。
【０００６】
本願発明は上記問題点に鑑みなされたものであって、その目的は、電子機器において入力された手書入力データを、他の電子機器において、少なくとも適切なサイズで表示可能とする電子機器、通信システム、データ通信方法、表示制御方法、およびプログラムを提供することにある。
【課題を解決するための手段】
【０００７】
本発明のある局面に従うと、電子機器は、第１表示パネルと、他の電子機器から送信された第１画像データを受信する受信手段と、第１表示パネルを介して、受信した第１画像データに基づく第１画像を表示させる表示制御手段と、第１画像が表示された状態で、第１表示パネルを介して手書入力データを受け付ける受付手段と、受け付けた手書入力データに基づき第２画像データを生成する生成手段と、生成した第２画像データを他の電子機器に送信する送信手段とを備える。
【０００８】
また、生成手段は、受信した第１画像データの画像サイズに対する、表示された第１画像の画像サイズの比率を算出する比率算出手段を備え、算出した比率に基づき手書入力データのデータ量を変更することにより、第２画像データを生成することが好ましい。
【０００９】
また、第１画像に対する手書入力データの入力位置を検出する位置検出手段をさらに備え、送信手段は、第２画像データに関連付けて入力位置を示した位置情報をさらに送信することが好ましい。
【００１０】
また、第１画像は、第１画像データの全体を表示した画像である全体画像の一部または全部の画像であり、表示制御手段は、全体画像における第１画像の範囲を決定する範囲決定手段をさらに備え、送信手段は、第２画像データに関連付けて範囲を示した範囲情報をさらに送信することが好ましい。
【００１１】
本発明の他の局面に従うと、電子機器は、第１表示パネルと、他の電子機器から送信された第１画像データを受信する受信手段と、第１表示パネルを介して、受信した第１画像データに基づく第１画像を表示させる表示制御手段と、第１画像が表示された状態で、第１表示パネルを介して手書入力データを受け付ける受付手段と、受け付けた手書入力データに基づき第２画像データを生成する生成手段と、第１画像データと第２画像データとを合成して、合成画像データを生成する合成手段と、生成された合成画像データを他の電子機器に送信する送信手段とを備える。
【００１２】
また、受信手段は、他の電子機器から、第１画像データに関連付けられた第１関連情報をさらに受信し、電子機器は、電子機器に内蔵または外部接続された記憶装置に格納されたデータベースから、第１関連情報に関連付けられた第２関連情報を検索する検索手段と、第２表示パネルとをさらに備え、表示制御手段は、第２表示パネルを介して、第２関連情報を表示させることが好ましい。
【００１３】
また、第１表示パネルは、入射光に応じて電気信号を生成する複数の光センサ回路と、電気信号に応じて光を発する複数の画素回路とを含み、受付手段は、複数の光センサ回路からの電気信号に基づいて、手書入力データを受け付け、表示制御手段は、複数の画素回路に第１画像および手書入力データに基づく手書画像とを表示させることが好ましい。
【００１４】
本発明のさらに他の局面に従うと、電子機器は、表示パネルと、第１画像データを記憶する記憶装置と、記憶装置から第１画像データを読出し、他の電子機器に当該読出した第１画像データを送信する送信手段と、他の電子機器から送信された、手書入力データに基づく第２画像データを受信する受信手段と、読出した第１画像データと受信した第２画像データとを合成して、当該合成した画像データに基づく画像を表示パネルを介して表示させる表示制御手段とを備える。
【００１５】
本発明のさらに他の局面に従うと、通信システムは、第１電子機器と第２電子機器とを含み、第１電子機器と第２電子機器とは、それぞれ表示パネルを備え、第１電子機器は、第２電子機器から送信された第１画像データを受信する第１受信手段と、第１電子機器の表示パネルを介して、受信した第１画像データに基づく第１画像を表示させる第１表示制御手段と、第１画像が表示された状態で、第１電子機器の表示パネルを介して手書入力データを受け付ける受付手段と、受け付けた手書入力データに基づき第２画像データを生成する生成手段と、生成した第２画像データを第２電子機器に送信する第１送信手段とを備え、第２電子機器は、第１画像データを記憶する記憶装置と、記憶装置から第１画像データを読出し、第１電子機器に当該読出した第１画像データを送信する第２送信手段と、第１電子機器から送信された第２画像データを受信する第２受信手段と、読出した第１画像データと受信した第２画像データとを合成して、当該合成した画像データに基づく画像を表示パネルを介して表示させる第２表示制御手段とを備える。
【００１６】
本発明のさらに他の局面に従うと、データ通信方法は、電子機器におけるデータ通信方法であって、他の電子機器から送信された第１画像データを受信するステップと、表示パネルを介して、受信した第１画像データに基づく第１画像を表示させるステップと、第１画像が表示された状態で、表示パネルを介して手書入力データを受け付けるステップと、受け付けた手書入力データに基づき第２画像データを生成するステップと、生成した第２画像データを他の電子機器に送信するステップとを含む。
【００１７】
本発明のさらに他の局面に従うと、データ通信方法は、電子機器におけるデータ通信方法であって、他の電子機器から送信された第１画像データを受信するステップと、表示パネルを介して、受信した第１画像データに基づく第１画像を表示させるステップと、第１画像が表示された状態で、表示パネルを介して手書入力データを受け付けるステップと、受け付けた手書入力データに基づき第２画像データを生成するステップと、第１画像データと第２画像データとを合成して、合成画像データを生成するステップと、生成された合成画像データを他の電子機器に送信するステップとを含む。
【００１８】
本発明のさらに他の局面に従うと、表示制御方法は、電子機器における表示制御方法であって、記憶装置から第１画像データを読出し、他の電子機器に当該読出した第１画像データを送信するステップと、他の電子機器から送信された、手書入力データに基づく第２画像データを受信する受信ステップと、読出した第１画像データと受信した第２画像データとを合成して、合成画像データを生成するステップと、生成された合成画像データに基づく合成画像を表示パネルを介して表示させるステップとを含む。
【００１９】
本発明のさらに他の局面に従うと、プログラムは、上記の方法をコンピュータに実行させるためのプログラムである。
【発明の効果】
【００２０】
電子機器において画像データが表示されている状態で入力された手書入力データが、他の電子機器においても表示可能となる。
【発明を実施するための最良の形態】
【００２１】
本発明に係る電子機器の一実施態様について、図１から図３５を参照して説明すると以下のとおりである。
【００２２】
＜電子機器の外観＞
図１は、本実施の形態に係る電子機器１００の外観を示した図である。図１を参照して、電子機器１００は、第１の筐体１００Ａと第２の筐体１００Ｂとを含む。
【００２３】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００２４】
なお、電子機器１００は、ＰＤＡ（Personal Digital Assistant）、ノート型のパーソナルコンピュータ、携帯型電話機、電子辞書などの表示機能を有する携帯型デバイスとして構成される。
【００２５】
＜ハードウェア構成について＞
次に、図２を参照して、電子機器１００の具体的構成の一態様について説明する。図２は、電子機器１００のハードウェア構成を表わすブロック図である。
【００２６】
電子機器１００は、第１ユニット１００１と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００２７】
第１の筐体１００Ａは、表示装置１０２を含む。第２の筐体１００Ｂは、本体装置１０１を含む。また、第２の筐体１００Ｂは、第２ユニット１００２を含む。
【００２８】
（第１ユニットについて）
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal Serial Bus）コネクタ１９４と、アンテナ１９５と、ＬＡＮ（Local Area Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００２９】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。
【００３０】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【００３１】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【００３２】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００３３】
電源検出部１９３は、電源回路１９２からの出力を検出する。また、電源検出部１９３は、当該検出した出力に関する情報（たとえば、電圧値や電流値）を、ＣＰＵ１１０に送る。
【００３４】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００３５】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００３６】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００３７】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００３８】
ドライバ１３０は、液晶パネル１４０およびバックライト１７９を駆動するための駆動回路である。ドライバ１３０に含まれる各種の駆動回路については、後述する。
【００３９】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００４０】
内部ＩＦ（Interface）１７８は、本体装置１０１と表示装置１０２との間で、データの遣り取りを仲介する。
【００４１】
バックライト１７９は、液晶パネル１４０の裏面に配置された光源である。バックライト１７９は、当該裏面に対して均一な光を照射する。
【００４２】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００４３】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００４４】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００４５】
上記コマンドは、上記光センサによりセンシングを指示するセンシングコマンドを含む。当該センシングコマンドの詳細および上記応答データの詳細については、後述する（図７，図８，および図１４）。
【００４６】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００４７】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００４８】
（第２ユニットについて）
第２ユニット１００２は、第１ユニット１００１から電力の供給を受ける。具体的には、後述するＵＳＢコネクタ２９４と第１ユニット１００１のＵＳＢコネクタ１９４とを接続することにより、第２ユニット１００２は、第１ユニット１００１の電源回路１９２から電力の供給を受ける。
【００４９】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００５０】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable Programmable Read-Only Memory）やフラッシュメモリなどのデータの書込みおよび消去が可能なＲＯＭである。
【００５１】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【００５２】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【００５３】
信号強度検出部２９７は、アンテナ２９５を介して受信した信号についての強度を検出する。そして、信号強度検出部２９７は、検出した強度を外部通信部２７４に送る。
【００５４】
ＵＳＢコネクタ２９４は、第２ユニット１００２を第１ユニット１００１に接続するために用いられる。
【００５５】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００５６】
アンテナ２９５は、第２ユニット１００２と、たとえば第１ユニット１００１との間における、Ｂｌｕｅｔｏｏｔｈ（登録商標）の規格に沿った通信に用いられる。
【００５７】
電源検出部２９３は、ＵＳＢコネクタ２９４を介して給電された電力を検出する。また、電源検出部２９３は、当該検出した電力についての情報を、ＣＰＵ２１０に送る。
【００５８】
また、本体装置１０４は、赤外線通信を行なう機能を備えていてもよい。
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００５９】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００６０】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、外部通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００６１】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００６２】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００６３】
ここでいうプログラムとは、ＣＰＵにより直接実行可能なプログラムだけでなく、ソースプログラム形式のプログラム、圧縮処理されたプログラム、暗号化されたプログラム等を含む。
【００６４】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００６５】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００６６】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００６７】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００６８】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００６９】
なお、ここでは、いわゆる線順次方式と呼ばれる駆動方式を用いて説明したが、駆動方式はこれに限定されるものではない。
【００７０】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００７１】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００７２】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００７３】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００７４】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００７５】
光センサ駆動回路１３３は、図２に示すドライバ制御部１８１から制御信号ＴＣ２を受ける。
【００７６】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００７７】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００７８】
なお、電圧ＶＤＤＲを印加するタイミング、および電圧ＶＤＤを印加するタイミングについては、後述する。
【００７９】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００８０】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００８１】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００８２】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００８３】
アンプ１３５は、各センサ信号線（ＳＳ１〜ＳＳｎ）から出力された電圧を増幅する。なお、増幅された電圧は、図２に示した信号処理部１８３に送られる。
【００８４】
なお、画素回路１４１を用いて画像を液晶パネル１４０に表示させるタイミングと、光センサ回路１４４を用いてセンシングするタイミングとについては、画像処理エンジン１８０が制御する。
【００８５】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００８６】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００８７】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００８８】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００８９】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００９０】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００９１】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００９２】
なお、フォトダイオード１４５の位置は、上記の位置に限定されるものではなく、カラーフィルタ１５３ｒに対向する位置やカラーフィルタ１５３ｇに対向する位置に設けることも可能である。
【００９３】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００９４】
以下では、光センサ回路１４４をリセットするためのリセット期間と、光センサ回路１４４を用いて光をセンシングするためのセンシング期間と、センシングした結果を読み出す読出期間とに分けて説明する。
【００９５】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００９６】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【００９７】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【００９８】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【００９９】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１００】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１０１】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１０２】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１０３】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１０４】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１０５】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１０６】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１０７】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１０８】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１０９】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１１０】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１１１】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１１２】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１１３】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１１４】
図６は、液晶パネル１４０とバックライト１７９との断面図であって、スキャンの際にフォトダイオード１４５がバックライト１７９からの光を受光する構成を示した図である。
【０１１５】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１１６】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１１７】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１１８】
以上により、表示装置１０２は、指９００によって光が反射されることにより得られる像（以下、反射像とも称する）をスキャンすることができる。
【０１１９】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１２０】
＜データについて＞
次に、第１ユニット１００１と第２ユニット１００２との間でやり取りされるコマンド、および第１ユニット１００１内の本体装置１０１と表示装置１０２との間でやり取りされるコマンドについて説明する。
【０１２１】
図７は、コマンドの概略構成を示した図である。図７を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１２２】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１２３】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１２４】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、液晶パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１２５】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１２６】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１２７】
なお、上記座標値と上記部分画像または上記全体画像とを同時に要求する構成としてもよい。また、液晶パネル２４０の表面の一部の領域に関してスキャンを行う構成の場合には、上記全体画像はスキャンが行われる領域に対応した画像となる。
【０１２８】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１７）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り換えて、スキャン対象物のスキャンを行うことを指す。
【０１２９】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１３０】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１３１】
また、上記第１コマンドには、図８に示したデータ以外に、スキャンを行う領域（光センサ回路１４４を駆動する画素の領域）の指定、スキャンを行うタイミング、バックライト１７９の点灯のタイミングなどが記述されている。
【０１３２】
なお、画像処理エンジン２８０は、第１コマンドの内容を解析し、当該解析の結果に従ったデータ（つまり、応答データ）を本体装置１０１に送り返す。
【０１３３】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１３４】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１３５】
第１フィールドＤＡ０２に「００１」が設定された第２コマンドは、液晶パネル２４０（サブ画面）に画像を表示させることを画像処理エンジン２８０に対して要求する。また、第１フィールドＤＡ０２に「０１０」が設定された第２コマンドは、液晶パネル２４０にアイコンを表示させることを画像処理エンジン２８０に対して要求する。さらに、第１フィールドＤＡ０２に「０１１」が設定された第２コマンドは、液晶パネル２４０に手書領域を表示させることを画像処理エンジン２８０に対して要求する。
【０１３６】
第２フィールドＤＡ０３には、液晶パネル２４０に表示させる画像の個数、および手書言語の種類を指定する番号が格納される。画像処理エンジン２８０は、当該画像の個数、または言語の種類に応じた処理を行う。
【０１３７】
第３フィールドＤＡ０４に「０１」が設定された第２コマンドは、液晶パネル２４０における表示範囲を座標にて指定することを、画像処理エンジン２８０に対して要求する。また、第３フィールドＤＡ０４に「１０」が設定された第２コマンドは、液晶パネル２４０における表示範囲を表示領域の全体にすることを、画像処理エンジン２８０に対して要求する。
【０１３８】
第４フィールドＤＡ０５には、液晶パネル２４０に表示させる画像データと、当該画像データを表示する位置情報とが格納される。画像処理エンジン２８０は、当該位置情報で特定される位置に当該画像データを表示する処理を行う。
【０１３９】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１４０】
ＣＰＵ１１０，２１０は、ヘッダＤＡ０１に、コマンドの種別（「０１０」）、コマンドの送信先等を書き込む。ＣＰＵ１１０，２１０は、第１フィールドＤＡ０２に、番号が「１」のＯＳ（Operating System）処理要求の値を書き込む。ＣＰＵ１１０，２１０は、第２フィールドＤＡ０３に、番号が「２」のＯＳ情報の値を書き込む。
【０１４１】
第１フィールドＤＡ０２に「０１」または「１０」が設定された第３コマンドは、第２ユニット１００２から第１ユニット１００１に送信される。
【０１４２】
第１フィールドＤＡ０２に「０１」が設定された第３コマンドは、第１ユニット１００１に対して、当該第１ユニット１００１（メイン装置）のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１４３】
第２フィールドＤＡ０３に「０００」、「００１」、または「０１０」が設定された第３コマンドは、第２ユニット１００２から第１ユニット１００１に送信される。
【０１４４】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１４５】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１４６】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１４７】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１４８】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１４９】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１５０】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１５１】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１５２】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１５３】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０１５４】
第２フィールドＤＡ０３に「０００」が設定された第６コマンドは、通信の接続先を指定する情報を有していないことを示す。
【０１５５】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１５６】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１５７】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１５８】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１５９】
第３フィールドＤＡ０４に「０００」が設定された第６コマンドは、データ（たとえば、ファイル）の転送先を指定する情報を有していないことを示す。
【０１６０】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１６１】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１６２】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１６３】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１６４】
第４フィールドＤＡ０５に「００」、「０１」、「１０」、または「１１」が設定された第６コマンドは、第１ユニット１００１によって、第２ユニット１００２に送信される。
【０１６５】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１６６】
図１４は、応答データの概略構成を示した図である。応答データは、第１コマンド（センシングコマンド）の内容に応じたデータである。
【０１６７】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１６８】
図１４を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１６９】
図１５は、指９００をスキャンすることにより得られた画像（つまり、スキャン画像）を示した図である。図１５を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１７０】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１７１】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１７２】
ただし、必ずしも中心座標の位置は上記に限定されるものではなく、中心座標を上記図心の座標あるいは図心の近傍の座標としてもよい。
【０１７３】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１７４】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１７５】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１７６】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１７７】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行なった後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１７８】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０１７９】
＜構成の第１の変形例について＞
ところで、液晶パネル１４０の構成は、図３に示した構成に限定されるものではない。以下では、図３とは異なる態様の液晶パネルについて説明する。
【０１８０】
図１６は、上記異なる態様である光センサ内蔵液晶パネル１４０Ａの回路図である。図１６を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１８１】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１８２】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１８３】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１８４】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１８５】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１８６】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１８７】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１８８】
以上述べたように、電子機器１００が液晶パネル１４０Ａを備えた構成とすることにより、スキャン対象物をカラーでスキャンできることになる。
【０１８９】
次に、図１７を参照して、前述のスキャンの方法（つまり、図６における反射像をスキャンする方法）とは異なるスキャンの方法について説明する。
【０１９０】
図１７は、スキャンの際にフォトダイオードが外光を受光する構成を示した断面図である。同図に示すとおり、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１９１】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１９２】
以上により、表示装置１０２は、指９００によって外光が遮られることにより得られる像（以下、影像とも称する）をスキャンすることができる。
【０１９３】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１９４】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１９５】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０１９６】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０１９７】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０１９８】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０１９９】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０２００】
表示装置１０２Ａは、光センサを内蔵しない液晶パネル（つまり、表示機能のみを有する液晶パネル）を含む。電子機器１３００は、第１ユニット１００１Ａが光センサを内蔵しない液晶パネルを含む点で、第１ユニット１００１が光センサを内蔵した液晶パネル２４０を含む電子機器１００と異なる。このような電子機器１３００は、第２ユニット１００２の表示装置１０３を用いて上述したセンシングを行なう。
【０２０１】
また、第１ユニット１００１は、光センサを内蔵した液晶パネル１４０の代わりに、たとえば抵抗膜方式や静電容量方式のタッチパネルを備えてもよい。
【０２０２】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０２０３】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０２０４】
本実施の形態に係る電子機器１００は、上記のように構成されているため、第２ユニット１００２が、ＵＳＢコネクタ１９４，２９４を介して第１ユニット１００１に着脱自在になっている。
【０２０５】
そして、本実施の形態に係る電子機器１００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic Input/Output System）を起動させる。
【０２０６】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、液晶パネル２４０にＯＳ（Operation System）の種類を選択可能に表示させることができる。
【０２０７】
ユーザは、液晶パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１０に示す「第１のＯＳ」コマンド）を送信する。第１ユニット１００１は、当該コマンドに応じて、ＯＳを起動する。
【０２０８】
また、たとえば、第２ユニット１００２は、アンテナ２９５を介して外部の携帯電話などとの間でデータの送受信を行なう。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、液晶パネル２４０に写真のサムネイル画像を選択可能に表示させる。
【０２０９】
そして、外部からの選択命令に応じて、ＣＰＵ２１０は、液晶パネル２４０に写真画像を表示させる。あるいは、ＣＰＵ２１０は、ＵＳＢコネクタ２９４を介して、写真画像を液晶パネル１４０あるいは表示装置１０２Ａに表示させる。
【０２１０】
＜通信システムの概略について＞
図１９は、通信システム１の概略構成を示した図である。図１９を参照して、通信システム１は、電子機器１００と、電子機器２０００とを含む。電子機器２０００は、携帯型電話機、ＰＤＡ、ノート型のパーソナルコンピュータなどの通信機能と表示機能とを有する携帯型デバイスとして構成される。
【０２１１】
なお、以下では、電子機器１００がノート型のパーソナルコンピュータであり、かつ電子機器２０００が携帯電話機である場合を例に挙げて説明する。また、以下では、電子機器１００は、オフィス等に配置されているものとする。一方、電子機器２０００は、ユーザが出先に持参するものとする。
【０２１２】
電子機器１００と電子機器２０００とは、互いに専用のアプリケーションを実行することにより、双方向通信を行なう。電子機器１００は、例えば、当該アプリケーションを起動した状態で待機状態としておく。一方、電子機器２０００は、電子機器１００と通信を行なう必要がある場合に、ユーザにより電子機器２０００に格納された上記専用のアプリケーションが起動される。
【０２１３】
また、電子機器１００および電子機器２０００は、自身に割り当てられたＩＰ（Internet Protocol）アドレスを利用することにより、直接的に相互にネットワークを介してデータ送受信を行う。すなわち、通信システム１に含まれる電子機器１００，２０００は、いわゆるＰ２Ｐ（Pear to Pear）型のネットワークを構成する。
【０２１４】
なお、以下では、電子機器１００と電子機器２０００との間の通信において、相手機器への画像データの送信は、電子機器１００の操作キー１７７や電子機器２０００の操作キー（図２０参照）のうち予め定められたキーの押下により行なわれるものとする。
【０２１５】
＜電子機器２０００の外観＞
図２０は、電子機器２０００の外観を示した図である。図２０を参照して、電子機器２０００は、マイクロフォン２１０５と、操作キー２１０７と、液晶パネル２１０８と、イヤホン２１０９と、図示しないカメラとを含む。
【０２１６】
電子機器２０００は、第１の筐体２０００Ａと第２の筐体２０００Ｂとを含む。第１の筐体２０００Ａと第２の筐体２０００Ｂとは、ヒンジ２０００Ｃにより折畳み可能に接続されている。第１の筐体２０００Ａは、液晶パネル２１０８と、イヤホン２１０９とを備える。第２の筐体２０００Ｂは、操作キー２１０７と、マイクロフォン２１０５と、カメラとを備える。
【０２１７】
なお、電子機器２０００は必ずしも折畳型の機器に限定されるものではない。たとえば、電子機器２０００は、ストレート型の機器でもよい。あるいは、電子機器２０００は、スライド型の機器であってもよい。
【０２１８】
＜電子機器２０００のハードウェア構成について＞
図２１は、電子機器２０００のハードウェア構成を示した図である。図２１を参照して、電子機器２０００は、ＣＰＵ２１００と、ＲＡＭ２１０１と、ＲＯＭ２１０２と、通信部２１０３と、カメラ２１０４と、マイクロフォン２１０５と、スピーカ２１０６と、操作キー２１０７と、液晶パネル２１０８と、イヤホン２１０９とを含む。各構成要素は、相互にデータバスＤＢ３によって接続されている。
【０２１９】
ＣＰＵ２１００は、プログラムを実行する。操作キー２１０７は、電子機器２０００の使用者による指示の入力を受ける。ＲＡＭ２１０１は、ＣＰＵ２１００によるプログラムの実行により生成されたデータ、または操作キー２１０７を介して入力されたデータを揮発的に格納する。ＲＯＭ２１０２は、データを不揮発的に格納する。また、ＲＯＭ２１０２は、ＥＰＲＯＭ（Erasable Programmable Read-Only Memory）やフラッシュメモリなどの書込みおよび消去が可能なＲＯＭである。通信部２１０３は、他の電子機器（図示せず）との間で無線通信を行う。なお、図２１には図示していないが、電子機器２０００が、他の電子機器に有線により接続するためのインターフェイス（ＩＦ）を備える構成としてもよい。
【０２２０】
カメラ２１０４は、ユーザの操作キーの操作に応じて、被写体を撮影する。なお、撮影された被写体の画像データは、ＲＡＭ２１０２や外部メモリ（たとえば、メモリカード）に格納される。
【０２２１】
マイクロフォン２１０５は、ユーザの音声の入力を受け付ける。電子機器２０００は、当該入力された音声（アナログデータ）をデジタル化する。そして、電子機器２０００は、通信相手（たとえば、他の携帯電話機）にデジタル化した音声を送る。
【０２２２】
スピーカ２１０６は、たとえば、ＲＡＭ２１０１に記憶された音楽データなどを出力する。イヤホン２１０９は、通信相手から送られてきた音声を出力する。
【０２２３】
液晶パネル２１０８は、ＲＯＭ２１０２やＲＡＭ２１０１に記憶した画像を表示する。液晶パネル２１０８は、たとえば、カメラ２１０４で撮影した画像を表示する。さらに、液晶パネル２１０８は、電子機器１００から送信された画像を表示する。液晶パネル２１０８に表示される内容については、後述する。
【０２２４】
また、液晶パネル２１０８は、ペンタブレットに液晶ディスプレイを統合させた液晶ペンタブレットである。したがって、電子機器２０００は、液晶パネル２１０８を介して線画像の手書入力データを受け付けることができる。電子機器２０００は、液晶パネル２１０８を介して、入力された手書入力データを表示する。
【０２２５】
なお、電子機器２０００は、液晶パネル２１０８の代わりに、液晶パネル以外の表示パネル（たとえば、有機ＥＬ）とタブレットとが統合された装置を備える構成としてもよい。あるいは、電子機器２０００は、液晶パネル２１０８の代わりに、光センサ液晶パネルを備える構成であってもよい。
【０２２６】
ところで、電子機器２０００における処理は、各ハードウェアおよびＣＰＵ２１００により実行されるソフトウェアによって実現される。このようなソフトウェアは、ＲＯＭ２１０２に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、上記記憶媒体から読み取られて、あるいは、通信部２１０３または通信ＩＦ（図示せず）を介してダウンロードされた後、ＲＯＭ２１０２に一旦格納される。そのソフトウェアは、ＣＰＵ２１００によってＲＯＭ２１０２から読み出され、ＲＡＭ２１０１に実行可能なプログラムの形式で格納される。ＣＰＵ２１００は、そのプログラムを実行する。
【０２２７】
図２１に示される電子機器２０００を構成する各構成要素は、一般的なものである。したがって、本発明の本質的な部分は、ＲＡＭ２１０１、ＲＯＭ２１０２、上記記憶媒体に格納されたソフトウェア、あるいはネットワークを介してダウンロード可能なソフトウェアであるともいえる。なお、電子機器２０００のハードウェアの動作は周知であるので、詳細な説明は繰り返さない。
【０２２８】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【０２２９】
ここでいうプログラムとは、ＣＰＵにより直接実行可能なプログラムだけでなく、ソースプログラム形式のプログラム、圧縮処理されたプログラム、暗号化されたプログラム等を含む。
【０２３０】
＜電子機器１００の機能ブロックについて＞
図２２は、電子機器１００の機能ブロック図である。図２２を参照して、電子機器１００は、制御部１０と、液晶パネル１４０，２４０と、記憶装置９０とを含む。
【０２３１】
記憶装置９０は、電子機器１００に内蔵されている。また、記憶装置９０は、ＶＲＡＭ９１と、データベース９２とを含む。記憶装置９０は、たとえば、ＲＡＭ１７１，２７１により構成される。なお、記憶装置９０は、電子機器１００に必ずしも内蔵されている必要はない。記憶装置９０は、電子機器１００に外部接続される装置であってもよい。
【０２３２】
制御部１０は、受信部１１と、検索部１２と、表示制御部１３と、受付部１４と、画像生成部１５と、位置検出部１６と、送信部１７とを含む。また、表示制御部１３は、範囲決定部３１を含む。画像生成部１５は、比率算出部５１を含む。
【０２３３】
受信部１１は、電子機器２０００から送信された画像データを受信する。受信部１１は、たとえば、電子機器２０００のカメラ２１０４により撮影された被写体の画像データを受信する。受信部１１は、受信した画像データを表示制御部１３に送る。また、受信部１１は、電子機器２０００から、上記画像データに関連付けられた第１関連情報を受信する。受信部１１は、第１関連情報を検索部１２に送る。
【０２３４】
なお、以下では、電子機器２０００から送信された画像データを「第１画像データ」と称する。また、本実施の形態では、上記第１画像データがオートバイの画像データである場合を例に挙げて説明する。また、第１関連情報は、たとえば、オートバイの機種を特定する情報である。
【０２３５】
検索部１２は、記憶装置９０に格納されたデータベースから、上記第１関連情報に関連付けられた第２関連情報を検索する。検索部１２は、検索した第２関連情報を表示制御部１３に送る。第２関連情報は、たとえば、特定されたオートバイの機種の詳細情報である。詳細情報とは、たとえば、当該オートバイの買取査定を行なう際に用いられる情報である。詳細情報の具体例については、後述する（図２６）。
【０２３６】
表示制御部１３は、液晶パネル１４０および／または液晶パネル２４０に、画像を表示させる。たとえば、表示制御部１３は、液晶パネル２４０を介して、受信部１１により受信した第１画像データに基づく画像（以下、「第１画像」とも称する）を表示させる。また、表示制御部１３は、液晶パネル１４０を介して、上記第２関連情報を表示させる。
【０２３７】
なお、第１画像は、液晶パネル２４０に表示されている画像であり、第１画像データの全体を表示した画像である全体画像の一部または全部の画像である。
【０２３８】
範囲決定部３１は、ユーザからの指示（たとえば、表示画像の拡大または縮小の指示）等に応じて、上記全体画像における第１画像の範囲を決定する。つまり、範囲決定部３１は、全体画像のうち、液晶パネル２４０に表示させる画像（つまり、第１画像）を決定する。また、範囲決定部３１は、上記範囲を示した範囲情報を送信部１７に送る。
【０２３９】
表示制御部１３は、上記範囲で特定される第１画像を、液晶パネル２４０に表示させる。
【０２４０】
なお、表示制御部１３が液晶パネル１４０および／または液晶パネル２４０に表示させる画像データは、記憶装置９０のＶＲＡＭ９１に格納されている。
【０２４１】
受付部１４は、液晶パネル２４０を介して、線画像データ等の手書入力データを受け付ける。受信した第１画像データに基づく第１画像が液晶パネル２４０に表示されている場合、受付部１４は、当該第１画像が表示された状態で、液晶パネル２４０を介して線画像データ等の手書入力データを受け付ける。受付部１４は、当該受け付けた手書入力データを、表示制御部１３と、画像生成部１５と、位置検出部１６とに送る。
【０２４２】
表示制御部１３は、受付部１４から手書入力データを受け付けた場合、入力を受け付けた液晶パネル２４０に表示されている第１画像の画像データ（ＶＲＡＭ９１に格納されている画像データ）と、当該手書入力データとを合成して、合成画像データを生成する。表示制御部１３は、当該合成画像データに基づく合成画像を液晶パネル２４０に表示させる。
【０２４３】
また、表示制御部１３は、液晶パネル２４０の画像表示領域における第１画像の表示位置を示した情報を位置検出部１６に送る。
【０２４４】
たとえば、第１画像が上記画像表示領域の上半分（ヒンジ１００Ｃ側の領域）に表示されている場合、表示制御部１３は、上半分を示す情報を位置検出部１６に送る。また、第１画像が上記画像表示領域の全体に表示されている場合、表示制御部１３は、全体を示す情報を位置検出部１６に送る。
【０２４５】
画像生成部１５は、手書入力データに基づき、電子機器２０００に送信するための第２画像データを生成する。以下、第２画像データの生成について説明する。
【０２４６】
比率算出部５１は、受信した第１画像データの画像サイズに対する、上記表示された第１画像の画像サイズの比率を算出する。
【０２４７】
たとえば、第１画像データの画像サイズが、横１２８０ドット×縦９６０ドットであり、第１画像の画像サイズが、横４８０ドット×縦３２０ドットである場合、比率算出部５１は、横方向の比率を３／８として、縦方向の比率を１／３として算出する。
【０２４８】
また、第１画像データの画像サイズが、横１２８０ドット×縦９６０ドットであり、第１画像の画像サイズが、横６４０ドット×縦４８０ドットである場合、比率算出部５１は、横方向の比率を１／２として、縦方向の比率を１／２として算出する。なお、この場合、液晶パネル２４０の解像度が、横４８０ドット×縦３２０ドットであるとすると、第１画像データの全体画像の一部が第１画像として液晶パネル２４０に表示される。
【０２４９】
画像生成部１５は、比率算出部５１により求められた横方向の比率および縦方向の比率に基づいて、手書入力データのデータ量を変更する。画像生成部１５は、当該データ量の変更により、上記第２画像データを生成する。手書入力データがビットマップ形式などの画像データである場合には、画像生成部１５は、手書入力データのデータ量を変更することにより、画像サイズを変更する。
【０２５０】
たとえば、縦方向の比率および横方向の比率が１／２の場合、画像生成部１５は、手書入力データの縦方向のデータ量および横方向のデータ量をそれぞれ、２倍することにより、第２画像データを生成する。なお、データ量を大きくする場合には、公知のデータ補間技術を用いる。
【０２５１】
そして、画像生成部１５は、生成した第２画像データを送信部１７に送る。
位置検出部１６は、第１画像に対する上記手書入力データの入力位置を検出する。具体的には、位置検出部１６は、表示制御部１３から受け付けた表示位置を示した情報に基づき、第１画像に対する上記手書入力データの入力位置を検出する。つまり、位置検出部１６は、第１画像と、上記手書入力データに基づく画像（以下、「手書画像」とも称する）との相対的な位置関係を検出する。
【０２５２】
位置検出部１６は、上記検出した入力位置を示した情報（以下、「位置情報」とも称する）を、送信部１７に送る。
【０２５３】
送信部１７は、上記第２画像データを電子機器２０００に送信する。また、送信部１７は、上記第２画像データに関連付けて、上記範囲情報と上記位置情報とを電子機器２０００に送信する。
【０２５４】
＜電子機器２０００の機能ブロックについて＞
図２３は、電子機器２０００の機能ブロック図である。図２３を参照して、電子機器２０００は、制御部２０１０と、液晶パネル２１０８と、カメラ２１０４と、記憶装置２０９０とを含む。記憶装置２０９０は、ＶＲＡＭ２０９１を含む。なお、記憶装置２０９０は、ＲＡＭ２１０１により構成される。
【０２５５】
制御部２０１０は、送信部２０１１と、受信部２０１２と、表示制御部２０１３と、受付部２０１４と、画像生成部２０１５と、位置検出部２０１６とを含む。表示制御部２０１３は、範囲決定部２０３１を含む。画像生成部２０１５は、比率算出部２０５１を含む。
【０２５６】
送信部２０１１は、記憶装置２０９０に記憶されている画像データを、記憶装置２０９０から読み出す。送信部２０１１は、当該読出した画像データ（つまり、第１画像データ）を電子機器１００に送信する。当該第１画像データは、たとえば、カメラ２１０４にて撮影された被写体の画像データである。あるいは、当該第１画像データは、他の電子機器から取得した画像データである。
【０２５７】
受信部２０１２は、電子機器１００から送信された第２画像データを受信する。また、受信部２０１２は、電子機器１００から上記位置情報を受信する。さらに、また、受信部２０１２は、電子機器１００から上記範囲情報を受信する。
【０２５８】
受信部２０１２は、上記第２画像データと、上記位置情報と、上記範囲情報とを、表示制御部２０１３に送る。
【０２５９】
表示制御部２０１３は、液晶パネル２１０８に画像を表示させる。表示制御部２０１３は、カメラにより撮影した画像データを液晶パネル２１０８に適合した画像サイズに変更し、当該変更後の画像サイズの画像を液晶パネル２１０８に表示する。たとえば、カメラにより撮影した画像データが、横１２８０ドット×縦９６０ドットであり、かつ液晶パネル２１０８の解像度が横３２０ドット×縦２４０ドットである場合を考える。この場合、表示制御部２０１３は、カメラにより撮影した画像データのサイズを、横３２０×縦２４０ドットにサイズ変更して、当該変更後の画像データを液晶パネル２１０８に表示させる。
【０２６０】
また、表示制御部２０１３は、受付部２０１４から手書入力データを受け付けた場合、入力を受け付けた液晶パネルに表示されている画像の画像データ（ＶＲＡＭに格納されている画像データ）と、当該手書入力データとを合成して、合成画像データを生成する。表示制御部２０１３は、当該合成画像データに基づく合成画像を液晶パネル２１０８に表示させる。
【０２６１】
さらに、表示制御部２０１３は、受信部２０１２から、上記第２画像データと、上記位置情報と、上記範囲情報とが送られてきた場合、以下の処理を行なう。すなわち、表示制御部２０１３は、電子機器２０００が送信した第１画像データと、上記第２画像データとを上記位置情報および上記範囲情報を用いて合成して、合成画像データを生成する。表示制御部２０１３は、当該合成画像データに基づく合成画像を液晶パネル２１０８に表示させる。
【０２６２】
受付部２０１４は、液晶パネル２１０８を介して手書入力データを受け付ける。受付部２０１４は、上記合成画像が表示されているか否かに関わらず、液晶パネル２１０８を介して手書入力データを受け付ける。そして、受け付けた手書入力データを、表示制御部２０１３に送る。
【０２６３】
なお、比率算出部２０５１、位置検出部２０１６、および範囲決定部２０３１は、図２２に基づき説明した、比率算出部５１、位置検出部１６、および範囲決定部３１と同一の機能をそれぞれに有するため、ここでの説明は繰り返さない。
【０２６４】
画像生成部２０１５は、手書入力データに基づき、電子機器１００に送信するための第３画像データを生成する。
【０２６５】
画像生成部２０１５は、比率算出部２０５１により求めた縦方向の比率および横方向の比率に基づいて、手書入力データのデータ量を変更する。画像生成部２０１５は、当該データ量の変更により、上記第３画像データを生成する。手書入力データがビットマップ形式などの画像データである場合には、画像生成部２０１５は、手書入力データのデータ量を変更することにより、画像サイズを変更する。
【０２６６】
送信部２０１１は、画像生成部２０１５で生成した第３画像データを電子機器１００に送信する。また、送信部２０１１は、位置検出部２０１６から送られくる上記位置情報と、範囲決定部２０３１から送られてくる上記範囲情報とを、上記第３画像データに関連付けて、電子機器１００に送信する。
【０２６７】
＜画面遷移について＞
次に、電子機器１００と電子機器２０００との間で通信を行なう際の、電子機器１００の液晶パネル１４０，２４０に表示される内容と、電子機器２０００の液晶パネル２１０８に表示される内容とについて、説明する。
【０２６８】
なお、以下の画面遷移に関する説明では、カメラ２１０４で撮影した被写体の全体が電子機器２０００で表示される場合を例に挙げて説明する。また、第１画像が全体画像の全部の画像である場合を例に挙げて説明する。つまり、被写体の全体が電子機器１００で表示される場合を例に挙げて説明する。
【０２６９】
図２４は、カメラ２１０４でオートバイを撮影した場合に、電子機器２０００の液晶パネル２１０８に表示される画像を示した図である。電子機器２０００は、当該オートバイの画像データを、電子機器１００に送信する。
【０２７０】
図２５は、電子機器２０００がオードバイの画像データ（つまり、第１画像データ）を電子機器１００に送信した後の、電子機器２０００と電子機器１００とに表示される画像を示した図である。図２５を参照して、電子機器１００は、液晶パネル２４０に、電子機器２０００から送信された第１画像データに基づく第１画像を表示する。これにより、電子機器１００の液晶パネル２４０と、電子機器２０００の液晶パネル２１０８とには、同じ内容の画像が表示される。なお、当該画像の表示サイズは、液晶パネルの解像度に依存する。したがって、液晶パネル２４０における画像の表示サイズと、液晶パネル２１０８における画像の表示サイズとは、必ずしも一致しない。
【０２７１】
図２６は、電子機器１００の検索部１２による検索が実行された後の、電子機器１００の液晶パネル１４０，２４０に表示される画像を示した図である。図２６を参照して、液晶パネル１４０には、上記第２関連情報に基づく画像が表示される。オートバイの機種名が「ＸＹＺ４００」である場合、電子機器１００は、液晶パネル１４０に、「ＸＹＺ４００」の詳細情報を表示させる。
【０２７２】
このように、電子機器１００が第２関連情報に基づく画像を表示させることにより、電子機器１００のユーザは、オートバイの機種名を特定するコマンドを電子機器１００に入力する必要がなくなる。それゆえ、電子機器１００の利便性が高まる。
【０２７３】
図２７は、図２６の状態において、電子機器１００のユーザが液晶パネル２４０を介して手書入力を行なった場合における、電子機器２０００と電子機器１００とに表示される画像を示した図である。なお、手書入力として、キズの位置を特定する図形Ｃ０と、「キズ」といった文字Ｃ２と、当該キズに基づく査定の減額を示す文字Ｃ３と、文字Ｃ３を装飾する図形Ｃ４とが、電子機器１００に入力されたとする。
【０２７４】
図２７を参照して、電子機器１００は、液晶パネル２４０に、上記入力された、図形Ｃ０と、文字Ｃ２と、文字Ｃ３と、図形Ｃ４とを、オートバイの画像に重畳して表示する。
【０２７５】
なお、電子機器１００のユーザは、液晶パネル１４０に表示された詳細情報を参考にして、当該査定の減額を示す文字Ｃ３を電子機器１００に入力する。
【０２７６】
図２８は、電子機器１００から電子機器２０００に送信される第２画像データを模式的に示した図である。図２８を参照して、電子機器１００は、図形Ｃ０と、文字Ｃ２と、文字Ｃ３と、図形Ｃ４とを、電子機器２０００に送信する。なお、電子機器１００は、電子機器２０００にオートバイの画像データを送信しない。
【０２７７】
図２９は、電子機器２０００が電子機器１００から上記手書入力データおよび上記位置情報を受信し、さらに表示制御部２０１３が上述した合成画像データを生成した場合において、電子機器２０００の液晶パネル２１０８に表示される画像を示した図である。
【０２７８】
図２９を参照して、電子機器２０００は、上記位置情報を用いることにより、液晶パネル２１０８に示されたオートバイの画像に対する第２画像データの相対位置と、図２７の液晶パネル２４０に示されたオートバイの画像に対する手書入力データの相対位置とを一致させることができる。
【０２７９】
これにより、電子機器１００のユーザと、電子機器２０００のユーザとは、表示サイズは必ずしも同じではないが、同じ内容の画像を互いの液晶パネルにて確認することができる。
【０２８０】
図３０は、電子機器２０００の液晶パネル２１０８に図２９に示した画像が表示された後に、電子機器２０００において生成された上記第３画像データを電子機器１００に送信した場合における、電子機器１００と電子機器２０００とに表示される画像を示した図である。
【０２８１】
電子機器２０００において、ヒビの位置を特定する図形Ｃ０１と、「ヒビ」といった文字Ｃ１２とが入力されると、電子機器１００は、液晶パネル２４０に、電子機器２０００の液晶パネル２１０８と同じ内容の画面を表示させる。つまり、電子機器１００は、図２７に示した画像に図形Ｃ１１と文字Ｃ１２とを合成した画像を液晶パネル２４０に表示させる。
【０２８２】
図３１は、液晶パネル２４０と液晶パネル２１０８とに図３０に示した画像が表示された後に、電子機器１００から第２画像データを電子機器２０００に送信した場合における、電子機器１００と電子機器２０００とに表示される画像を示した図である。
【０２８３】
電子機器１００において、上記ヒビに基づく査定の減額を示す文字Ｃ２１と当該文字Ｃ２１を装飾する図形Ｃ２２とが入力されると、電子機器２０００は、液晶パネル２１０８に、電子機器１００の液晶パネル２４０と同じ内容の画面を表示させる。つまり、電子機器２０００は、図３０に示した画像に文字Ｃ２１と図形２２とを合成した画像を液晶パネル２１０８に表示させる。
【０２８４】
以上のように、電子機器１００と電子機器２０００とは、Ｐ２Ｐ型の通信により、互いの液晶パネル２４０，２１０８に同じ内容の画像を表示することができる。このため、オートバイの買取査定を行なうにあたり、現物（オートバイ）を実際に目で見て当該現物の状態を判断する電子機器２０００のユーザは、電子機器１００のユーザに対して、査定額に影響する事項を連絡できる。一方、電子機器１００のユーザは、詳細情報を確認することにより、査定額に関する事項を電子機器２０００のユーザに送信できる。
【０２８５】
このように、通信システム１により、電子機器２０００のユーザは、現場で現物を見ながら、オフィスの電子機器１００と連携して、現場で買取査定を行なうことができる。
【０２８６】
また、実物を見るユーザは、オードバイの機種に関する詳細情報を現場に持っていく必要がなくなる。このため、現場に詳細情報を持っていかなくても、精度の高い買取査定を行なうこができる。
【０２８７】
また、現場や現場への経路にて詳細情報が紛失することはない。このため、通信システム１を用いることにより、セキュリティーを確保することができる。
【０２８８】
また、電子機器１００は、電子機器２０００から受信した画像データを液晶パネル２４０に表示する。さらに、電子機器１００は、液晶パネル１４０に、当該画像データに関連するデータベース内のデータを表示する。それゆえ、電子機器１００は、受信した画像データを表示したとしても、詳細情報の視認性が低下することはない。したがって、効率よく買取査定を行なうことができる。
【０２８９】
＜通信システム１におけるシーケンスについて＞
図３２は、通信システム１における電子機器１００と電子機器２０００との間のシーケンスを示した図である。具体的には、図３２は、図２４から図３１に基づき説明した処理に関するシーケンスを示した図である。
【０２９０】
ステップＳ１において、電子機器２０００は、第１画像データを電子機器１００に送信する。ステップＳ２において、電子機器２０００は、第１関連情報（つまり、オートバイの機種を特定する情報）を電子機器１００に送信する。
【０２９１】
ステップＳ３において、電子機器１００は、第２画像データを電子機器２０００に送信する。なお、電子機器１００は、上述したように、第２画像データに関連付けて、位置情報および範囲情報を送る。具体的には、電子機器１００は、図２８に示した、図形Ｃ０と、文字Ｃ２と、文字Ｃ３と、図形Ｃ４とを、電子機器２０００に送信する。
【０２９２】
ステップＳ４において、電子機器２０００は、第３画像データを電子機器２０００に送信する。なお、電子機器１００は、上述したように、第３画像データに関連付けて、位置情報および範囲情報を送る。具体的には、電子機器２０００は、図形Ｃ１１および文字Ｃ１２のサイズを変更した後の文字および図形（図３０参照）を、電子機器１００に送信する。
【０２９３】
ステップＳ５において、電子機器１００は、ステップＳ３で送信した第２画像データと異なる内容の第２画像データを電子機器２０００に送信する。なお、電子機器１００は、上述したように、第２画像データに関連付けて、位置情報および範囲情報を送る。具体的には、電子機器１００は、図３１に示した、文字Ｃ２１およびと図形Ｃ２２のサイズを変更した後の文字および図形を電子機器２０００に送信する。
【０２９４】
＜電子機器１００における処理フローについて＞
図３３は、電子機器１００におけるデータ処理のフローを示したフローチャートである。
【０２９５】
図３３を参照して、ステップＳ１１において、電子機器１００は、電子機器２０００から第１画像データと第１関連情報とを受信する。ステップＳ１２において、電子機器１００は、受信した第１画像データに基づく第１画像を液晶パネル２４０に表示する。ステップＳ１３において、電子機器１００は、第１関連情報を用いてデータベースを検索する。ステップＳ１４において、電子機器１００は、検索結果（つまり、第２関連情報）を液晶パネル１４０に表示する。
【０２９６】
ステップＳ１５において、電子機器１００は、液晶パネル２４０を介して、手書入力データを受け付けたか否かを判断する。手書入力データを受け付けたと判断された場合（ステップＳ１５においてＹｅｓ）、ステップＳ１６において、電子機器１００は、第２画像データと、上記位置情報と、上記範囲情報とを電子機器２０００に送信する。一方、手書入力データを受け付けていないと判断された場合（ステップＳ１５においてＮｏ）、ＣＰＵ１１０は処理をステップＳ１９に進める。
【０２９７】
ステップＳ１７においては、電子機器１００は、電子機器２０００から第３画像データを受信したか否かを判断する。受信したと判断した場合（ステップＳ１７においてＹｅｓ）、ステップＳ１８において、電子機器１００は、液晶パネル２４０に表示している画像に、受信した第３画像データに基づく画像を重畳して表示する。つまり、電子機器１００は、画像の合成処理を行なう。一方、受信していないと判断した場合（ステップＳ１７においてＮｏ）、ＣＰＵ１１０は処理をステップＳ１９に進める。
【０２９８】
ステップＳ１９において、電子機器１００は、電子機器２０００との通信が終了したか否かを判断する。通信が終了したと判断された場合（ステップＳ１９においてＹｅｓ）、ＣＰＵ１１０は一連の処理を終了する。一方、通信が終了していないと判断された場合（ステップＳ１９においてＮｏ）、ＣＰＵ１１０は処理をステップＳ１５に戻す。
【０２９９】
＜電子機器２０００における処理フローについて＞
図３４は、電子機器２０００におけるデータ処理のフローを示したフローチャートである。
【０３００】
図３４を参照して、ステップＳ２１において、電子機器２０００は、カメラ２１０４を用いて被写体であるオートバイを撮影する。ステップＳ２２において、電子機器２０００は、操作キー２１０７を介した第１関連情報の入力を受け付ける。ステップＳ２３において、電子機器２０００は、撮影により得られた第１画像データと上記第１関連情報とを、電子機器１００に送信する。
【０３０１】
ステップＳ２４において、電子機器２０００は、第２画像データと位置情報と範囲情報とを電子機器１００から受信したか否かを判断する。受信したと判断された場合（ステップＳ２４においてＹｅｓ）、ステップＳ２５において、液晶パネル２１０８に表示している画像に、受信した第２画像データを重畳する。つまり、電子機器２０００は、画像の合成処理を行なう。一方、受信していないと判断された場合（ステップＳ２４においてＮｏ）、ＣＰＵ２１００は処理をステップＳ２８に進める。
【０３０２】
ステップＳ２６において、電子機器２０００は、液晶パネル２１０８を介して、手書入力データを受け付けたか否かを判断する。手書入力データを受け付けたと判断された場合（ステップＳ２６においてＹｅｓ）、ステップＳ２７において、電子機器２０００は、当該手書入力データに基づき生成された第３画像データと、位置情報と、範囲情報とを電子機器１００に送信する。一方、手書入力データを受け付けていないと判断された場合（ステップＳ２６においてＮｏ）、ステップＳ２８に進む。
【０３０３】
ステップＳ２８において、電子機器２０００は、電子機器１００との通信が終了したか否かを判断する。通信が終了したと判断された場合（ステップＳ２８においてＹｅｓ）、ＣＰＵ２１００は一連の処理を終了する。一方、通信が終了していないと判断された場合（ステップＳ２８においてＮｏ）、ＣＰＵ２１００は処理をステップＳ２４に戻す。
【０３０４】
＜通信システム１の構成の変形例＞
図３５は、電子機器１００の変形例である電子機器３５００の機能ブロックを示した図である。
【０３０５】
図３５を参照して、電子機器３５００は、制御部１０Ａと、液晶パネル１４０，２４０と、記憶装置９０とを含む。制御部１０Ａは、受信部１１と、検索部１２と、表示制御部１３Ａと、受付部１４Ａと、画像生成部１５Ａと、送信部１７Ａと、画像合成部１８とを含む。なお、電子機器３５００において電子機器１００と同一の部材については同一の部材番号を付し、当該部材の説明を繰り返さない。
【０３０６】
表示制御部１３Ａは、範囲決定部３１が決定した範囲を送信部１７Ａに送らない点で、範囲決定部３１が決定した範囲を送信部１７に送る表示制御部１３と異なる。また、電子機器３５００は位置検出部１６を備えないため、表示制御部１３Ａは、上記表示位置を示した情報を位置検出部１６に送ることはない。これらの相違点を除けば、表示制御部１３Ａは、表示制御部１３と同じ機能を有する。
【０３０７】
また、上述したように電子機器３５００は位置検出部１６を備えないため、受付部１４Ａは、上記手書入力データを位置検出部１６に送ることはない。この相違点を除けば、表示制御部１３Ａは、表示制御部１３と同じ機能を有する。
【０３０８】
画像生成部１５Ａは、生成した画像を画像合成部１８に送る点において、生成した画像を送信部１７に送る画像生成部１５と異なる。この相違点を除けば、画像生成部１５Ａは、画像生成部１５と同じ機能を有する。
【０３０９】
次に、画像合成部１８について説明する。画像合成部１８は、電子機器２０００から受信した第１画像データと、画像生成部１５Ａで生成された第２画像データとを合成して、合成画像データを生成する。画像合成部１８は、合成画像データを送信部１７Ａに送る。
【０３１０】
送信部１７Ａは、合成画像データを電子機器２０００に送る。
一方、電子機器２０００についても、電子機器１００と同様に、電子機器２０００にて合成した合成画像データを電子機器１００に送信する構成とする。
【０３１１】
このように、電子機器１００と電子機器２０００とが互いに合成画像データを送信する構成としても、通信システム１で得られた効果と同様の効果を得ることができる。
【０３１２】
＜通信システム１における通信方法の変形例＞
ところで、通信システム１においては、Ｐ２Ｐ型の通信を行なった。通信システム１においては、当該Ｐ２Ｐ型の通信ではなく、電子メールを介した通信を用いてもよい。
【０３１３】
電子メールを用いる場合には、電子機器２０００は、カメラ２１０４にて撮影した被写体の画像データを電子メールに添付して、当該電子メールを電子機器１００に送信すればよい。また、電子機器２０００は、第１関連情報を電子メールの本文または題名のデータフィールドに格納して、当該電子メールを電子機器１００に送信すればよい。また、電子機器１００は、合成画像データを添付した電子メールを電子機器２０００に送信すればよい。
【０３１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３１５】
【図１】本実施の形態に係る通信システムに含まれる電子機器の外観を示した図である。
【図２】電子機器のハードウェア構成を表わすブロック図である。
【図３】電子機器の液晶パネルの構成と、当該液晶パネルの周辺回路とを示した図である。
【図４】液晶パネルとバックライトとの断面図である。
【図５】光センサ回路を動作させる際のタイミングチャートを示した図である。
【図６】液晶パネルとバックライトとの断面図であって、スキャンの際にフォトダイオードがバックライトからの光を受光する構成を示した図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像を示した図である。
【図１６】他の光センサ内蔵液晶パネルの回路図である。
【図１７】スキャンの際にフォトダイオードが外光を受光する構成を示した断面図である。
【図１８】電子機器の変形例のハードウェア構成を表わすブロック図である。
【図１９】通信システムの概略構成を示した図である。
【図２０】通信システムに含まれる他の電子機器の外観を示した図である。
【図２１】他の電子機器のハードウェア構成を示した図である。
【図２２】電子機器の機能ブロック図である。
【図２３】他の電子機器の機能ブロック図である。
【図２４】他の電子機器のカメラでオートバイを撮影した場合に、他の電子機器の液晶パネルに表示される画像を示した図である。
【図２５】他の電子機器がオードバイの画像データを電子機器に送信した後の、他の電子機器と電子機器とに表示される画像を示した図である。
【図２６】電子機器において検索が実行された後の、電子機器の液晶パネルに表示される画像を示した図である。
【図２７】図２６の状態において、電子機器のユーザが液晶パネルを介して手書入力を行なった場合における、他の電子機器と電子機器とに表示される画像を示した図である。
【図２８】電子機器から他の電子機器に送信される第２画像データを模式的に示した図である。
【図２９】他の電子機器が電子機器から手書入力データおよび位置情報を受信し、さらに合成画像データを生成した場合において、他の電子機器の液晶パネルに表示される画像を示した図である。
【図３０】他の電子機器の液晶パネルに図２９に示した画像が表示された後に、他の電子機器において生成された第３画像データを電子機器に送信した場合における、電子機器と他の電子機器とに表示される画像を示した図である。
【図３１】図３０に示した画像が表示された後に、電子機器から第２画像データを他の電子機器に送信した場合における、電子機器と他の電子機器とに表示される画像を示した図である。
【図３２】電子機器と他の電子機器との間のシーケンスを示した図である。
【図３３】電子機器におけるデータ処理のフローを示したフローチャートである。
【図３４】他の電子機器におけるデータ処理のフローを示したフローチャートである。
【図３５】電子機器の変形例の機能ブロックを示した図である。
【符号の説明】
【０３１６】
１０，１０Ａ  制御部、１１  受信部、１２  検索部、１３，１３Ａ  表示制御部、１４，１４Ａ  受付部、１５，１５Ａ  画像生成部、１６  位置検出部、１７，１７Ａ  送信部、５１  比率算出部、９０  記憶装置、１００  電子機器、１００Ａ  第１の筐体、１００Ｂ  第２の筐体、１０１  本体装置、１０２，１０２Ａ  表示装置、１０３  表示装置、１０４  本体装置、１４０，１４０Ａ  光センサ内蔵液晶パネル、１７４  外部通信部、１７７  操作キー、２４０  光センサ内蔵液晶パネル、２７４  外部通信部、１００１，１００１Ａ  第１ユニット、１００２  第２ユニット、１３００  電子機器、２０００  電子機器、２０１０  制御部、２０１１  送信部、２０１２  受信部、２０１３  表示制御部、２０１４  受付部、２０９０  記憶装置、２１０３  通信部、２１０４  カメラ、２１０７  操作キー、２１０８  液晶パネル、３５００  電子機器。
【図１】
2010108288.tif 000003
【図２】
2010108288.tif 000004
【図３】
2010108288.tif 000005
【図４】
2010108288.tif 000006
【図５】
2010108288.tif 000007
【図６】
2010108288.tif 000008
【図７】
2010108288.tif 000009
【図８】
2010108288.tif 000010
【図９】
2010108288.tif 000011
【図１０】
2010108288.tif 000012
【図１１】
2010108288.tif 000013
【図１２】
2010108288.tif 000014
【図１３】
2010108288.tif 000015
【図１４】
2010108288.tif 000016
【図１５】
2010108288.tif 000017
【図１６】
2010108288.tif 000018
【図１７】
2010108288.tif 000019
【図１８】
2010108288.tif 000020
【図１９】
2010108288.tif 000021
【図２０】
2010108288.tif 000022
【図２１】
2010108288.tif 000023
【図２２】
2010108288.tif 000024
【図２３】
2010108288.tif 000025
【図２４】
2010108288.tif 000026
【図２５】
2010108288.tif 000027
【図２６】
2010108288.tif 000028
【図２７】
2010108288.tif 000029
【図２８】
2010108288.tif 000030
【図２９】
2010108288.tif 000031
【図３０】
2010108288.tif 000032
【図３１】
2010108288.tif 000033
【図３２】
2010108288.tif 000034
【図３３】
2010108288.tif 000035
【図３４】
2010108288.tif 000036
【図３５】
2010108288.tif 000037